(57)【要約】【課題】特殊な装置等を用いることなく、上質かつ耐久性に優れた本を提供する。【解決手段】本文とカバー表紙を備える本であって、本文が、互いに重ねられ後部が綴じられた複数の紙片と、内面接着層及び外面接着層とを有し、複数の紙片の最前頁外面及び最後頁の後部側に内面接着層により接着される第１連結シートと及び第２連結シートと、複数の紙片と第１連結シートと第２連結シートとを貫通して綴る綴り部材とを備え、カバー表紙が、複数の紙片の背面を被う背と、紙片の最前頁外面を被う表表紙と、紙片の最後頁外面を被う裏表紙とを有し、本文の背面をカバー表紙の背に当接させ、第１及び第２連結シートの外面接着層をそれぞれ表表紙と裏表紙の見返しに接着したことを特徴とする本。【選択図】図１
2011194815.tif 000002
【特許請求の範囲】
【請求項１】
本文とカバー表紙を備える本であって、
前記本文が、互いに重ねられ後部が綴じられた複数の紙片と、
内面接着層及び外面接着層を有し、前記複数の紙片の最前頁外面の後部側に前記内面接着層により接着される第１連結シートと、
内面接着層及び外面接着層を有し、前記複数の紙片の最後頁外面の後部側に前記内面接着層により接着される第２連結シートと、
前記複数の紙片と前記第１連結シートと第２連結シートとを貫通して綴る綴り部材とを備え、
前記カバー表紙が、前記複数の紙片の背面を被う背と、
前記紙片の最前頁外面を被う表表紙と、
前記紙片の最後頁外面を被う裏表紙とを有し、
前記本文の背面を前記カバー表紙の背に当接させ、前記第１及び第２連結シートの外面接着層をそれぞれ前記表表紙と前記裏表紙の見返しに接着したことを特徴とする本。
【請求項２】
前記内面接着層は、第１及び第２連結シートの後縁側に設けられ、
前記外面接着層は、第１及び第２連結シートの前縁側に設けられ、
前記綴り部材が前記内面接着層の範囲内において第１及び第２連結シート及び前記複数の紙片を貫通することを特徴とする請求項１に記載の本。
【請求項３】
前記カバー表紙は前記背の両側と、表表紙と裏表紙における前記背に近い側に、縦方向に延長する折り目を有することを特徴とする請求項１又は請求項２に記載の本。
【請求項４】
前記カバー表紙は前記折り目に対応するスリットが設けられた複数のボール紙と、
当該ボール紙の外面を被う外表紙素材と、
前記ボール紙の内面を被う内表紙素材とより成ることを特徴とする請求項３に記載の本。
【請求項５】
本文及びカバー表紙を備える本を製造する方法であって、
複数の紙片を重ね、内面接着層及び外面接着層を有する第１連結シートを複数の紙片の最前頁外面の後部に前記内面接着層により接着し、
内面接着層及び外面接着層を有する第２連結シートを複数の紙片の最後頁外面の後部側に前記内面接着層により接着し、
前記複数の紙片と前記第１及び第２連結シートを綴り部材により綴ることにより前記本文を形成する工程と、
前記本文の複数の紙片の背面を、
当該背面を被う背と、前記紙片の最前頁外面を被う表表紙と、前記紙片の最後頁外面を被う裏表紙とを有するカバー表紙における前記背に当接させ、
前記第１及び第２連結シートの外面接着層をそれぞれ前記表表紙及び前記裏表紙の見返しに接着する工程を含むことを特徴とする製造方法。
【請求項６】
前記綴り部材で綴る際に、第１及び第２連結シートと本文とを仮止め部材で外側から挟んで仮止め固定する工程を含むことを特徴とする請求項５に記載の製造方法。
【発明の詳細な説明】
【技術分野】
【０００１】
本発明は本及び当該本の製造方法に関し、特に簡略な構成により高い品質を具備する本及び当該本の製造方法に関する。
【背景技術】
【０００２】
従来、一般的な製本方法として、上製本様式や並製本様式が知られている。上製本様式は辞書等の高価な書籍を製本する場合に用いられ、本文の天地方向及び小口を裁断して切りそろえた後に、カバー表紙が取り付けられるものである。並製本様式は、雑誌やカタログ等の簡易な書籍を製本する場合に用いられ、工程が簡略化されコストを抑えることができる。
【先行技術文献】
【特許文献】
【０００３】
【特許文献１】特開平１１−１３９０３７号公報
【発明の概要】
【発明が解決しようとする課題】
【０００４】
上製本様式では、上質かつ耐久性に優れた本を製造することができるが、三方裁断や仮背固め等の多数の工程を有する他、特殊な製本装置や製本用工具を用いる必要があり、製本作業が煩雑となり高コストであった。
また、並製本様式等では、特殊な製本装置等を用いることなく、少ない製造工程で製本することができるが、見栄えが良く、耐久性に優れた本を製本することが困難であった。
【０００５】
そこで、本発明は、製本工程に必要な特殊な装置等を要することなく、仮背固めや三方裁断等の煩雑な工程を経ずに、低コスト、かつ、上質、耐久性に優れた本及び当該本の製造方法を提供することを目的とする。
【課題を解決するための手段】
【０００６】
上記課題を解決するため、本発明に係る構成として、本文とカバー表紙を備える本であって、前記本文が、互いに重ねられ後部が綴じられた複数の紙片と、内面接着層及び外面接着層を有し、前記複数の紙片の最前頁外面の後部側に前記内面接着層により接着される第１連結シートと、内面接着層及び外面接着層を有し、前記複数の紙片の最後頁外面の後部側に前記内面接着層により接着される第２連結シートと、前記複数の紙片と前記第１連結シートと第２連結シートとを貫通して綴る綴り部材とを備え、前記カバー表紙が、前記複数の紙片の背面を被う背と、前記紙片の最前頁外面を被う表表紙と、前記紙片の最後頁外面を被う裏表紙とを有し、前記本文の背面を前記カバー表紙の背に当接させ、前記第１及び第２連結シートの外面接着層をそれぞれ前記表表紙と前記裏表紙の見返しに接着したことを特徴とする。
本構成によれば、本文が、内面接着層及び外面接着層を有し、かつ、本文における最前頁外面の後部側及び最後頁外面の後部側にそれぞれ接着される第１連結シート及び第２連結シートを有することから、本文に対して表表紙と裏表紙を有するカバー表紙を第１連結シート及び第２連結シートの外面接着層を介して容易に一体化させることが可能となる。
また、前記内面接着層は、第１及び第２連結シートの後縁側に設けられ、前記外面接着層は、第１及び第２連結シートの前縁側に設けられ、前記綴り部材が前記内面接着層の範囲内において第１及び第２連結シート及び前記複数の紙片を貫通することも特徴とする。
本構成によれば、内面接着層の範囲内に綴り部材が打ち込まれることにより、本としての耐久性を維持しつつ、仕上がりが上質な本を得ることができる。
また、前記カバー表紙は前記背の両側と、表表紙と裏表紙における前記背に近い側に、縦方向に延長する折り目を有することも特徴とする。
本構成によれば、カバー表紙が表表紙と裏表紙における前記背に近い側に、縦方向に延長する折り目を有することにより、本文をカバー表紙と一体化させる場合に、カバー表紙を本文の厚さに合わせて折り曲げることができ、仕上がりが上質な本を得ることができる。
また、前記カバー表紙は前記折り目に対応するスリット付きのボール紙と、当該ボール紙の外面を被う外表紙素材と、前記ボール紙の内面を被う内表紙素材とより成ることも特徴とする。
本構成によれば、極めて低コスト、かつ、一定の耐久性を維持した本を得ることができる。
さらに、本発明に係る他の形態として、本文及びカバー表紙を備える本を製造する方法であって、複数の紙片を重ね、内面接着層及び外面接着層を有する第１連結シートを複数の紙片の最前頁外面の後部に前記内面接着層により接着し、内面接着層及び外面接着層を有する第２連結シートを複数の紙片の最後頁外面の後部側に前記内面接着層により接着し、前記複数の紙片と前記第１及び第２連結シートを綴り部材により綴ることにより前記本文を形成する工程と、前記本文の複数の紙片の背面を、当該背面を被う背と、前記紙片の最前頁外面を被う表表紙と、前記紙片の最後頁外面を被う裏表紙とを有するカバー表紙における前記背に当接させ、前記第１及び第２連結シートの外面接着層をそれぞれ前記表表紙及び前記裏表紙の見返しに接着する工程を含むことを特徴とする。
本形態によれば、本文に対して表表紙と裏表紙を有するカバー表紙を第１連結シート及び第２連結シートの外面接着層を介して容易に一体化させることが可能となる。
また、綴り部材で綴る際に、第１及び第２連結シートと本文とを仮止め部材で外側から挟んで仮止め固定する工程を含むことも特徴とする。
本形態によれば、複数の紙片からなる本文の形状を一定に揃えることが可能となり、仕上がりが上質な本を得ることができる。
上記の発明の概念は、本発明の必要な特徴の全てを列挙したものではなく、これらの特徴群の組合せもまた発明となり得る。
【図面の簡単な説明】
【０００７】
【図１】本発明の実施形態における本の斜視図である。
【図２】本発明の実施形態における本の要部断面図である。
【図３】本発明の実施形態における本文の斜視図である。
【図４】本発明に係るカバー表紙の製法を示す図である。
【図５】本発明に係るカバー表紙の製法を示す斜視図である。
【図６】本発明に係る本文とカバー表紙を連結する工程の一例を示す図である。
【図７】本発明に係る本文とカバー表紙を連結する工程の一例を示す図である。
【図８】本発明に係る製本方法の一例を示すフローチャートである。
【図９】本発明に係る本文とカバー表紙を連結する他の工程の一例を示す図である。
【発明を実施するための最良の形態】
【０００８】
以下、発明の実施の形態を通じて本発明を説明するが、以下の実施形態は特許請求の範囲に係る発明を限定するものではなく、また実施形態の中で説明されている特徴の組合せの全てが発明の解決手段に必須であるとは限らない。
【０００９】
図１は、本発明の一実施形態に係る本の構成の一例を示す斜視図である。
同図において１は、本文２及びカバー表紙３を備える本である。本文２は互いに重ね合わされ、後側４が綴じられた複数の紙片２ａからなる。図２に示すように、５は内面接着層７及び外面接着層８を有し、複数の紙片２ａの最前頁２ｂの外面の後側に前記内面接着層７により接着される連結紙片５ｍより成る第１連結シートである。６は内面接着層１０及び外面接着層１１を有し、前記複数の紙片２ａの最後頁２ｄの外面の後側に前記内面接着層１０により接着される連結紙片６ｎより成る第２連結シートである。内面接着層７，１０は、第１，第２連結シート５，６の後縁側に設けられ、外面接着層８，１１は、第１，第２連結シート５，６の前縁側に設けられる。
また、内面接着層７，１０及び外面接着層８，１１上には、剥離紙２０，２１が貼着され、剥離紙２０，２１を剥離することにより内面接着層７，１０及び外面接着層８，１１がそれぞれ本文２及びカバー表紙３に対して接着される。
１２は、複数の紙片２ａの後部と前記第１連結シート５の内面接着層７側と第２連結シート６の内面接着層１０側を厚さ方向に貫通して、本文２、第１連結シート５及び第２連結シート６を綴る綴り部材である。
【００１０】
図２〜図４に示すように、カバー表紙３は、図２の本文２の複数の紙片２ａの背面２ｍを被う背１３と、最前頁２ｂの外面を被う表表紙１４と、最後頁２ｄの外面を被う裏表紙１５とより成り、本文２の背面２ｍをカバー表紙３の背１３に当接させて位置決めをした後、第１連結シート５の外面接着層８及び第２連結シート６の外面接着層１１をそれぞれ表表紙１４と裏表紙１５の見返しに接着することにより、本文２とカバー表紙３とが一体化される。
カバー表紙３は、背面２ｍの両側コーナー２ｍ１，２ｍ２、及び、表表紙１４及び裏表紙１５における背面２ｍに近い側（後側）に、縦方向に延長する折り目１６〜１９を有し、折り目１６，１７を介してカバー表紙３を内面接着層７，１０側に強固に押し付けることが可能となっている。また、当該折り目１８，１９の存在によりカバー表紙３を両開きすることが可能となっている。
【００１１】
図４，図５に示すように、カバー表紙３の背１３，表表紙１４，裏表紙１５は、折り目１６〜１９に対応するスリットＳ１〜Ｓ４が設けられた複数のボール紙２４と、このボール紙２４の外面を被う外表紙素材２５と、ボール紙２４の内面を被う内表紙素材２６とより成る。カバー表紙３を作製するには、まず外表紙素材２５上に配置された複数のボール紙２４の周囲からはみ出る４辺の折りしろ２７を内側に折り返して、ボール紙２４の表面に貼着する。そして、図５に示すように、ボール紙２４が露出した部分、及び、折り返された折りしろ部分を被うように内表紙素材２６を貼着することによりカバー表紙３が完成する。このように本例においては、カバー表紙３の骨格をボール紙２４にて作成することにより、極めて低コストな本を作成することができる。
また、本例におけるカバー表紙３によれば、カバー表紙３がＳ１〜Ｓ４に対応して折り曲げ自在であることから、本文２の厚さ、即ち、紙片２ａの枚数が増減した場合であっても、本文２に密着させて本文２を保持することができる。
つまり、カバー表紙３はスリットＳ１〜Ｓ４によって形成される折り目１６〜１９を有することにより、本文２の厚さに関わらずカバー表紙３と連結可能であり、本文２の厚さの増減が、本１の仕上がりに影響を与えることはない。
【００１２】
以下、本文２を構成する紙片２ａについて説明する。
各紙片２ａの両面若しくは一方の面には例えば写真や文字が印刷されており、予め所望のサイズに裁断されている。
各紙片２ａの上下方向（天地方向）、及び、前後方向（小口方向）長さは任意に変更可能である。また、本例において、複数の紙片２ａは一枚の紙を用いているが、一枚の紙片２ａを二つ折りにした折丁であっても良い。紙片２ａの枚数は任意に調整可能であり、１枚であっても良い。
【００１３】
本例における連結紙片５ｍ，６ｎは、外表紙素材２５，内表紙素材２６と同質、或いは、同色の紙を用いるのが望ましい。これにより、連結紙片５ｍ，６ｎとカバー表紙３の連結部が目立たなくなり、出来上がった本の仕上がりを向上させる。また、本例における連結紙片５ｍ，６ｎは、本文２の上下方向長さと同等の長さを有し、その前後方向長さは本文２の前後方向長さの１／３程度であるが任意に変更可能である。
【００１４】
図２に示すように、連結紙片５ｍ，６ｎの内面、即ち、本文の紙片２ａの最前頁２ｂ又は最後頁２ｄと向かい合う面には、後側から前側に向かって一定の領域を有し、連結紙片５ｍ，６ｎの上下方向長さと同一長さを有する内面接着層７，１０が形成されている。
本例における内面接着層７，１０には、綴り部材１２が打ち込まれることを考慮して、ポリエステルフィルム両面接着テープを用い、その前縁部は外面接着層８，１１の後縁部よりも前側に位置し、内面接着層７，１０の前縁部と外面接着層８，１１の後縁部は連結紙片５ｍ，６ｎを挟んで重なる位置に形成される。
なお、内面接着層７，１０としてはＥＶＡフィルム両面接着テープやＰＳフィルム両面接着テープ等の一定の剛性を有する両面接着テープを用いても良い。また、内面接着層７，１０は、糊や接着剤により形成された層であっても良い。
【００１５】
また、本例における外面接着層８，１１は、連結紙片５ｍ，６ｎの外面、即ち、カバー表紙３の内面と向かい合う面には、前側から後側に向かって一定の領域を有し、連結紙片５ｍ，６ｎの上下方向長さと同一長さを有する外面接着層８，１１が形成されている。
なお、本例において、外面接着層８，１１には両面テープが用いられているが、接着剤や糊を用いて外面接着層８，１１を構成しても良い。
図３に示すように、外面接着層８，１１は、本文２と第１連結シート５及び第２連結シート６とを内面接着層７，１０を介して接着した後に、本文２、第１連結シート５及び第２連結シート６を貫通する綴り部材１２を打ち込む際の目印として機能する。
即ち、外面接着層８，１１は、連結紙片５ｍ，６ｎの前側から後側に向かって一定の幅に形成されていることから、綴り部材１２を打ち込む際には外面接着層８，１１が形成された領域と、外面接着層８，１１が形成されていない領域の境目又は、当該境目よりも後側の領域である打ち込み領域３５に綴り部材１２を打ち込めば、綴り部材１２が必ず内面接着層７，１０を通過し、上下方向に沿って複数打ち込まれる綴り部材１２をきれいに打ち込むことが可能となる。また、綴り部材１２が内面接着層７，１０を形成するポリエステルフィルムを貫通することにより、耐久性を向上させることが可能となる。
なお、本例においては、綴り部材１２として針状の係止具を用いているが、予め所定の数の穴を打ち込み領域３５内に設け、紐やナイロンバンド等を通して複数の紙片２ａと第１，第２連結シート５，６を固定しても良い。
【００１６】
図８は、本発明に係る本の製造方法の一例を示すフローチャートである。
図８に示すように、本例においては、概略、最初の工程にて本文２を準備し（Ｓ１０１）、次にカバー表紙３を準備し（Ｓ１０２）、最後に本文２とカバー表紙３と第１連結シート５及び第２連結シート６によって連結することにより、本発明に係る本１が完成する（Ｓ１０３）。
本発明によれば、如何なる者も少ない工程数で上質かつ耐久性に優れた本１を提供することができる。以下、本発明に係る本１の製本方法について詳述する。
【００１７】
まず、本文２を準備する工程（Ｓ１０１）では、図３に示すように、予め印刷された複数の紙片２ａの四辺を合わせて重ね合せる。
次に、第１連結シート５の内面接着層７の剥離紙２０を剥がし、第１連結シート５の後端縁と最前頁２ｂの後端縁とが一致するように内面接着層７で第１連結シート５を接着する。
同様に、第２連結シート６の内面接着層１０の剥離紙２０を剥がし、第２連結シートの後端縁と最後頁２ｄの後端縁とが一致するように内面接着層１０で第２連結シート６を接着する。そして、図３に示すように、複数の紙片２ａの四辺を整えつつ、本文２の上下端をクリップ等の仮止め部材３０，３０により固定する。
【００１８】
次に、第１連結シート５又は第２連結シート６の打ち込み領域３５を目印として、第１連結シート５又は第２連結シート６側から綴り部材１２を本文２の厚さ方向に打ち込んだ後にクリップ３０を外し、本文２が完成する。
図６に示すように、完成した本文２には、第１連結シート５，本文２，第２連結シート６間を綴り部材１２が貫通し、最前頁２ｂ及び最後頁２ｄの後端部には一定範囲に亘ってそれぞれ第１連結シート５，第２連結シート６が貼着された状態となる。
【００１９】
そして、次の工程においては、前述したようにカバー表紙３を準備する（Ｓ１０２）。
図４，図５において、カバー表紙３製造時、接着に使用する接着剤としては、糊や紙用ボンドが用いられる。図４に示すように、外表紙素材２５の四隅は４５度程度に裁断されていることが望ましい。また、Ｓ１〜Ｓ４の間隔は５ｍｍ程度が好ましいが、表紙の耐久性を確保できる範囲で任意に調整可能である。
【００２０】
次の工程において図６，図７に示すように、本文２とカバー表紙３を連結する（Ｓ１０３）。まず、本文２を構成する第１連結シート５及び第２連結シート６から外面接着層８，１１を覆う剥離紙２１，２１を剥がす。
そして、図７に示すように、平らに開かれたカバー表紙３の背１３の中央部に本文２の背面２ｍを当接させ、カバー表紙３と本文２との上下方向の位置決めを行った後、カバー表紙３の左右の表表紙１４と裏表紙１５を矢印方向に持ち上げ、第１連結シート５及び第２連結シート６の残余部分、即ち、外面接着層８，１１が形成された部分を矢印に示すように、表表紙１４と裏表紙１５方向に折り曲げ、外面接着層８，１１をカバー表紙３の内表紙素材２６に接着して、本文２とカバー表紙３とが一体化される。
図９は、本文２が薄肉の場合であり、この場合若干の間隙Ｊが発生する。しかしながらこのような場合であっても、本文２は第１連結シート５，第２連結シート６を介してカバー表紙３と一体化されているため、カバー表紙３から本文２が抜け落ちるようなことはない。
【００２１】
以上のとおり、本発明に係る本及び当該本の製造方法によれば、如何なる者も特殊な装置や器具を用いることなく、他の上製本様式の製本工程より少ない工程数にて、上質かつ耐久性に優れた本を製造することができる。
【００２２】
本発明の範囲および精神から逸脱することなく、種々の修正および変更が本発明においてなされ得ることは、当業者らにより認識されるべきである。例えば、ここに記述された特定の構成部材は、あらゆる種類の形状又は形態を採用することができる。加えて、部品間の接着は、あらゆる種類の接着剤によって提供できる。本発明は添付した特許請求の範囲およびその均等物の範囲内にあるような修正および変更を有することが意図されている。
【符号の説明】
【００２３】
１  本、２  本文、２ａ  紙片、３  カバー表紙、５  第１連結シート、
６  第２連結シート、５ｍ，６ｎ  連結紙片、７，１０  内面接着層、
８，１１  外面接着層、１２  綴り部材、２５  外表紙素材、２６  内表紙素材、
３０  仮止め部材、３５  打ち込み領域。
【図１】
2011194815.tif 000003
【図２】
2011194815.tif 000004
【図３】
2011194815.tif 000005
【図４】
2011194815.tif 000006
【図５】
2011194815.tif 000007
【図６】
2011194815.tif 000008
【図７】
2011194815.tif 000009
【図８】
2011194815.tif 000010
【図９】
2011194815.tif 000011